(57)【要約】【課題】従来の撮像装置では、複数のファンのうち、いずれか一つが故障すると、必要な冷却がおこなえず、撮像装置が破壊しないように撮影を停止することとなってしまうと言う課題があった。【解決手段】吸気口から排気口までの通風経路となるダクト部と、ダクト内に空気を流すための送風手段と、前記ダクト部内にて空気に熱を伝えるための放熱部で構成される第一の冷却部と、前記第一の冷却部とダクト外壁を共有する第二の冷却部を備え、前記第一の冷却部と前記第二の冷却部が共有するダクト外壁に、前記送風手段と前記放熱部の間で開閉可能な開口部を設ける。【選択図】図５
2017139584.tif 000002
【特許請求の範囲】
【請求項１】
本体外部から空気を取り入れるための吸気口と、本体外部へ空気を吐き出すための排気口を備え、前記吸気口から前記排気口までの通風経路となるダクト部と、ダクト内に空気を流すための送風手段と、前記ダクト部内にて空気に熱を伝えるための放熱部で構成される第一の冷却部と、前記第一の冷却部と共有するダクト外壁を持つ第二の冷却部を備え、前記第一の冷却部及び第二の冷却部と熱的に接続された熱源部を備えた撮像装置において、前記第一の冷却部と前記第二の冷却部が共有するダクト外壁に、前記送風手段と前記放熱部の間で開閉可能な開口部を有することを特徴とする撮像装置。
【請求項２】
前記送風手段の故障を検出する故障検出手段と、使用者へ状態を伝えるための表示部を設け、前記故障検出手段にて前記送風手段が故障したことを検出した時に、前記表示部に、送風手段の故障を知らせる表示を行う故障表示制御手段を有することを特徴とする請求項１に記載の撮像装置。
【請求項３】
前記開口部を開閉させる開口部開閉手段を設け、前記故障検出手段にて前記送風手段が故障したことを検出した時に、前記開口部開閉手段にて、開口部を開口状態にする開口部開閉制御手段を有することを特徴とする請求項２に記載の撮像装置。
【発明の詳細な説明】
【技術分野】
【０００１】
本発明は、ファンを備える撮像装置に関する。
【背景技術】
【０００２】
近年、撮像装置の消費電力は高くなっており強制空冷にて冷却することが求められている。また、撮像装置は左右方向の幅寸法、及び光軸方向の厚さ寸法を短くして、撮影位置や構図を制限されることなく、より多彩な映像を撮影することが求められている。
【０００３】
これに対し、薄型のヒートシンク兼ダクトをファンによる送風で冷却することで、撮像装置の光軸方向の厚さ寸法を短くする方法が提案されている（特許文献１参照）。また、消費電力が高く冷却能力がファン一つでは足りない時に、ファンを複数使い冷却する方法が提案されている（特許文献２参照）。
【先行技術文献】
【特許文献】
【０００４】
【特許文献１】特開２０１４−４５３４５号公報
【特許文献２】特許第４２５７３１号公報
【発明の概要】
【発明が解決しようとする課題】
【０００５】
しかしながら、特許文献１の先行例では、冷却能力が足らない場合がある。次に特許文献２の先行例では、複数のファンを違う場所に配置しているために、撮像装置をの光軸方向の厚さ寸法を短くすることができない。また、複数のファンのうち、いずれか一つが故障すると、必要な冷却がおこなえず、撮像装置が破壊しないように撮影を停止することとなってしまう問題があった。
【課題を解決するための手段】
【０００６】
上記課題を解決するために、請求項１に係る発明は、本体外部から空気を取り入れるための吸気口と、本体外部へ空気を吐き出すための排気口を備え、前記吸気口から前記排気口までの通風経路となるダクト部と、ダクト内に空気を流すための送風手段と、前記ダクト部内にて空気に熱を伝えるための放熱部で構成される第一の冷却部と、前記第一の冷却部と共有するダクト外壁を持つ第二の冷却部を備え、前記第一の冷却部及び第二の冷却部と熱的に接続された熱源部を備えた撮像装置において、前記第一の冷却部と前記第二の冷却部が前記共有するダクト外壁に、前記送風手段と前記放熱部の間で開閉可能な開口部を有することを特徴とする撮像装置である。
【０００７】
請求項２に係る発明は、前記送風手段の故障を検出する故障検出手段と、使用者へ状態を伝えるための表示部を設け、前記故障検出手段にて前記送風手段が故障したことを検出した時に、前記表示部に、送風手段の故障を知らせる表示を行う故障表示制御手段を有することを特徴とする請求項１に記載の撮像装置である。
【０００８】
請求項３に係る発明は、前記開口部を開閉させる開口部開閉手段を設け、前記故障検出手段にて前記送風手段が故障したことを検出した時に、前記開口部開閉手段にて、開口部を開口状態にする開口部開閉制御手段を有することを特徴とする請求項２に記載の撮像装置である。
【発明の効果】
【０００９】
本発明に係る撮像装置によれば、左右方向の幅寸法、及び光軸方向の厚さ寸法を短くしたまま、冷却能力の向上を行える。また、複数のファンのうち、いずれか一つが故障しても、撮像装置の冷却を行えるため撮影を続行することが可能となる。
【図面の簡単な説明】
【００１０】
【図１】本実施形態による撮像装置の構成例を示すブロック図である。
【図２】本実施形態による撮像装置の外観斜視図である。
【図３】本実施形態による撮像装置のＺ方向から見た内部構造模式図である。
【図４】本実施形態による撮像装置のＸ方向から見た内部構造模式図である。
【図５】本実施形態による撮像装置のＹ方向から見た冷却部構造模式図である。
【図６】本実施形態の撮像装置による開口部開閉制御処理を示すフローチャートである。
【発明を実施するための形態】
【００１１】
以下、図面を参照して本実施形態を説明する。
【００１２】
図１は本実施形態による撮像装置本体１００の構成例を示すブロック図である。図２は本実施形態による撮像装置の外観斜視図である。図３は本実施形態による撮像装置のＺ方向から見た内部構造模式図である。図４は本実施形態による撮像装置のＸ方向から見た内部構造模式図である。図５は本実施形態による撮像装置のＹ方向から見た冷却部の構造模式図である。
【００１３】
図１乃至５において、撮像部１０１は撮影レンズ３００、光学像を電気信号に変換するＣＣＤやＣＭＯＳ素子等と、アナログ信号をデジタル信号に変換するＡ／Ｄ変換器で構成される撮像素子３０１により、被写体画像をデジタル信号に変換し、撮影画像データを出力する。
【００１４】
音声入力部１１０は音声を電気信号に変換するマイク等で構成され、音声データを出力する。ＲＯＭ１０３は、電気的に消去・記録可能なメモリであり、例えばＥＥＰＲＯＭ等が用いられる。ＲＯＭ１０３には、ＣＰＵ１０２の動作用の定数、プログラム等が記憶される。ここでいう、プログラムとは、本実施形態にて後述する各種フローチャートを実行するためのプログラムのことである。ＣＰＵ１０２は、撮像装置本体１００全体を制御する。前述したＲＯＭ１０３に記録されたプログラムを実行することで、後述する本実施形態の各処理を実現する。
【００１５】
ＲＡＭ１０４はシステムメモリ、ワークメモリ、画像メモリ、音声メモリであり、ＲＡＭ等が用いられる。ＲＡＭ１０４には、ＣＰＵ１０２の動作用の定数、変数、ＲＯＭ１０３から読み出したプログラム等を展開する。
【００１６】
温度検知部１０５は、前記ＣＰＵ１０２、ＲＯＭ１０３、ＲＡＭ１０４が配置された基板３０３近傍に配置され、前記基板３０３の温度データを出力する基板の温度検知部３０４、撮像素子３０１近傍に配置され、前記撮像素子３０１の温度データを出力する撮像素子の温度検知部３０２で構成されている。各温度検知部にはサーミスタ等を用いる。
【００１７】
表示部１０６は、ＣＰＵ１０２がＲＡＭ１０４に送信させる画像データにより、画像を表示する。表示部１０６には液晶パネル、有機ＥＬ等を用いる。
【００１８】
記録部１０７はＣＰＵ１０２がＲＡＭ１０４に送信させる画像データと音声データを記録する。記録部１０７は画像データと音声データを記録するためのメモリカード等の記録媒体であり、半導体メモリや磁気ディスク、磁気テープ等から構成される。
【００１９】
操作部１０８は、撮像装置本体１００に設けられるシャッター釦２０１、電源釦２００、表示部１０６と重ねて設けられるタッチパネル２０２等により構成される操作に関わる部分を示す。電源釦２００は撮像装置本体１００の電源ＯＮ、ＯＦＦを行う。シャッター釦２０１は、操作することにより、撮影される画像データと音声データが記録部１０７に保存される。タッチパネル２０２は、重ねて設けらた表示部１０６に表示される種々のアイコンを選択操作することで、各種機能釦として作用する。
【００２０】
機能釦としては、例えば撮影モード切り替え釦、ズーム釦、メニュー釦、等がある。例えば、ズーム釦が押されるとズーム機能が開始され撮影シーンに適した画角にできる。利用者は、表示部１０６に表示された釦を重ねて配置されたタッチパネル２０２により操作することで、直感的に各種設定を行うことができる。
【００２１】
ファン１０９は、撮像装置本体１００に外部の空気を取り入れるための吸気口２０３、撮像装置本体１００から外部へ空気を排出するための排気口２０４、前記吸気口２０３と前記排気口２０４の通風経路となる第一のダクト３０５に風を通すための第一のファン３０６と、前記第一のダクト３０５と共有するダクト外壁５０１を有し、前記吸気口２０３と前記排気口２０４の通風経路となる第二のダクト４０１に風を通すための第二のファン４０２で構成される。ＣＰＵ１０２は、ファン１０９を駆動するモーターの制御を前記モーターへの入力電圧値、またはＰＷＭ制御と呼ばれる入力電圧を矩形波にすることにより回転数を制御するファン制御手段を持つ。
【００２２】
ＣＰＵ１０２はファン１０９から出されるＦＧ信号により、ファン回転数を検出する回転数検出手段と、前記ファン制御手段でファン１０９に電圧をかけているのに、ファン回転数があらかじめ定めた規定値より低い場合はファンの故障と判断する故障検出手段を設ける。
【００２３】
その他、撮像装置に使われる構成として、撮像装置本体を駆動するための電源部、映像・音声信号の入出力のための端子部、被写体を照らすためのストロボ・ライト部、等あるが、撮像装置として周知の事実を用いるため、ここでは図示、及び詳細な説明を省く。
【００２４】
次に、冷却部について説明する。前記第一のファン３０６を駆動すると、外部の空気は矢印Ｗのように、前記吸気口２０３から吸い込まれ、前記第一のダクト３０５を通る。前記第一のダクト３０５内に設けられた第一の放熱部３０７は、薄い板状の金属等で構成され、その表面から熱を前記第一のダクト内を通る空気に強制対流で熱を移動させ、高温となった空気を前記排気口２０４から排出することで、第一の冷却部を構成している。前記第二のファン４０２を駆動すると、外部の空気は矢印Ｗのように、前記吸気口２０３から吸い込まれ、前記第二のダクト４０１を通る。
【００２５】
前記第二のダクト４０１内に設けられた第二の放熱部４０３は、薄い板状の金属等で構成され、その表面から熱を前記第二のダクト内を通る空気に強制対流で熱を移動させ、高温となった空気を前記排気口２０４から排出することで、第二の冷却部を構成している。前記第一のダクト３０５の外壁と前記第二のダクト４０１の外壁は、前記共有するダクト外壁５０１で分離されている。前記第一のダクト３０５には、前記基板３０３が第一の熱伝導部材３０８を介して熱的に接続されている。前記第二のダクト４０１には、前記基板３０３が第二の熱伝導部材４０４を介して熱的に接続されている。
【００２６】
前記第一のダクト３０５及び前記第二のダクト４０１の熱を奪うことで、前記基板３０３の温度が下がる。前記第一の冷却部と前記第二の冷却部は、各々独立した通風経路を持っているため、前記第一のファン３０６と前記第二のファン４０２の回転数を各々設定することで、放熱性能を必要に応じて各々設定することが可能となっている。
【００２７】
前記共有するダクト外壁５０１に、放熱部とファンの間に開閉可能な開口部５０２を設ける。開閉手段は、仕切り板を手で外す手動による場合は、ファンの故障を発見した時に仕切り板を手動で外して前記開口部５０２を開口することで、撮影を続行することができる。また、前記故障検出手段によりファン故障を検出した時に、前記表示部１０６にファンが故障したことを使用者へ知らせる故障表示制御手段を設けて、仕切り板を外すことを促しても良い。
【００２８】
モーターやプランジャーを使用して、電気的に仕切り板を動かす開口部開閉手段を設け、前記故障検出手段によりファン故障を検出した時に、前記開口部開閉手段にて仕切り板を外す開口部開閉制御手段を備えることで、自動的に開口部５０２の開閉を行っても良い。
【００２９】
図６は本実施系における開口部開閉制御処理のフローチャートである。このフローチャートにおける各処理は、ＣＰＵ１０２がＲＯＭ１０３に格納されたプログラムをＲＡＭ１０４に展開して実行することにより実現される。
【００３０】
図６において、ステップＳ６０１は、ＣＰＵ１０２が電源釦２００により電源ＯＮの命令があるか判断を行う。ＣＰＵ１０２は前記電源釦２００より電源ＯＮの命令がないと判断した場合、ステップＳ６０１に戻る。ＣＰＵ１０２は前記電源釦２００により電源ＯＮの命令があったと判断した場合、ステップＳ６０２へ進む。
【００３１】
ステップＳ６０２は、ＣＰＵ１０２がファン制御手段にて第一のファン３０６及び第二のファン４０２を回転させてステップＳ６０３へ進む。
【００３２】
ステップＳ６０３は、ＣＰＵ１０２が故障検知手段により、第一のファン３０６及び第二のファン４０２のいずれかに故障があるか判断を行う。ＣＰＵ１０２は前記第一のファン３０６及び第二のファン４０２のいずれにも故障がないと判断した場合、ステップＳ６０３に戻る。ＣＰＵ１０２は前記第一のファン３０６及び第二のファン４０２のいずれかに故障があると判断した場合、、ステップＳ６０４へ進む。
【００３３】
ステップＳ６０４は、ＣＰＵ１０２が表示部１０６にファンが故障したことを表示してステップＳ６０５へ進む。
【００３４】
ステップＳ６０５は、ＣＰＵ１０２が開口部開閉手段により開口部の仕切り板を移動させて開口部を開き、ステップＳ６０６へ進む。
【００３５】
ステップＳ６０６は、ＣＰＵ１０２が電源釦２００により電源ＯＦＦの命令があるか判断を行う。ＣＰＵ１０２は前記電源釦２００より電源ＯＦＦの命令がないと判断した場合、ステップＳ６０４に戻る。ＣＰＵ１０２は前記電源釦２００により電源ＯＦＦの命令があったと判断した場合、ステップＳ６０７へ進む。
【００３６】
以上のように本発明の実施形態によれば、ファンの一つが故障により停止した場合でも、第一の放熱部３０７及び第二の放熱部４０３を冷却することが可能となり、ファンが故障したことによる基板の温度上昇を防ぐことで、撮影を停止することなく撮影を続行することが可能となる。
【符号の説明】
【００３７】
100  撮像装置本体、101  撮像部、102  ＣＰＵ、103  ＲＯＭ、104  ＲＡＭ、
105  温度検知部、106  表示部、107  記録部、108  操作部、109  送風部、
110  音声入力部、111  バッテリー、200  電源釦、201  シャッター釦、
202  タッチパネル、203  吸気口、204  排気口、300  撮影レンズ、301  撮像素子、
302  撮像素子の温度検知部、303  基板、304  基板の温度検知部、305  第一のダクト、
306  第一のファン、307  第一の放熱部、308  第一の熱伝導部材、401  第二のダクト、
402  第二のファン、403  第二の放熱部、404  第二の熱伝導部材、
501  共有するダクト外壁、502  開閉可能な開口部、Ｘ  撮像装置側面方向、
Ｙ  撮像装光軸方向、Ｚ  撮像装置上下方向、Ｗ  ダクトを通る空気の方向
【図１】
2017139584.tif 000003
【図２】
2017139584.tif 000004
【図３】
2017139584.tif 000005
【図４】
2017139584.tif 000006
【図５】
2017139584.tif 000007
【図６】
2017139584.tif 000008